(57)【要約】【課題】本発明は、ヒューズ側の端子とソケット側の端子との電気的接触を防止し、安全性を確実に確保するこができるヒューズ、及び、ヒューズの取付構造を提供することを目的とする。【解決手段】ソケット１４に装着するヒューズ１３を嵌合する嵌合手段１６を、ハウジング１１に備え、端子１２よりも挿入方向に突出した絶縁突出部１７と、ソケット１４に備え、絶縁突出部１７を挿入可能に開口した被挿入部１８とで構成し、絶縁突出部１７の挿入方向に直交する断面の少なくとも一部に、ヒューズ容量毎に固有形状で備えた固有形状部分２２を、ヒューズ容量増加に応じて大きくなる寸法で形成し、被挿入部１８の少なくとも一部に、ヒューズ容量増加に応じて大きくなる固有形状部分２２に対応可能に備えた固有開口部分２４を、装着許容するヒューズ１３より大きなヒューズ容量のヒューズ１３の固有形状部分２２の寸法よりも小さい寸法で形成したヒューズの取付構造。【選択図】図１
2009129671.tif 000002
【特許請求の範囲】
【請求項１】
ハウジングと、該ハウジングの内部から外側へ突出した端子とを備えたヒューズと、該ヒューズの装着を許容するソケットを備えた装着ケースとで構成したヒューズの取付構造であって、
ソケットに装着するヒューズを嵌合する嵌合手段を備え、
該嵌合手段を、
前記ハウジングに備え、前記端子よりも前記ソケット側への挿入方向に突出した絶縁突出部と、
前記ソケットに備え、前記絶縁突出部を挿入可能に開口した被挿入部とで構成し、
前記絶縁突出部の挿入方向に直交する断面の少なくとも一部に、ヒューズ容量毎に固有形状で形成した固有形状部分を備え、該固有形状部分を、ヒューズ容量増加に応じて大きくなる寸法で形成し、
前記被挿入部の少なくとも一部に、
前記ヒューズ容量増加に応じて大きくなる前記固有形状部分に嵌合対応する固有開口部分を備え、
前記固有開口部分を、
装着許容するヒューズより大きなヒューズ容量のヒューズの前記固有形状部分の寸法よりも小さい寸法で形成した
ヒューズの取付構造。
【請求項２】
前記固有形状部分を、ヒューズ容量増加に応じて大きくなる幅で形成し、
前記固有開口部分を、装着許容するヒューズより大きなヒューズ容量のヒューズの前記固有形状部分の幅よりも狭い幅で形成した
請求項１に記載のヒューズの取付構造。
【請求項３】
並列する複数の端子と、該端子を固定するとともに、前記端子同士を電気的に接続する溶断部を内部に備えた絶縁性を有するハウジングとで構成したヒューズであって、
前記ハウジングに、前記端子よりも前記ソケット側への挿入方向へ突出した絶縁性を有する絶縁突出部を備え、
前記絶縁突出部の挿入方向に直交する断面の少なくとも一部に、ヒューズ容量毎に固有形状で形成した固有形状部分を備え、該固有形状部分を、ヒューズ容量増加に応じて大きくなる寸法で形成した
ヒューズ。
【発明の詳細な説明】
【技術分野】
【０００１】
この発明は、例えば、車両等に装備する電装品とともに装着されるヒューズ、及び、ヒューズの取付構造に関する。
【背景技術】
【０００２】
車両には、走行に関する装備に加え、安全装備や車両での居住性を向上するための電装品が多く装着されており、各装置を過電流から保護するためのヒューズが設けられている。これらの電装品の多様化に伴い、複数種類のヒューズ容量のヒューズを多数設置する必要がある。
【０００３】
このように、多数のヒューズが必要な自動車などに用いられるヒューズボックスには、通常、エンジンルームや、運転席足元、或いはグローボックス内等の目につかない場所に配置されるとともに、多数のソケットが設けられ、これら各ソケットに所定容量のヒューズが嵌め込みまれる。
【０００４】
各電装品と電気的に接続された各ソケットに、所定容量以外のヒューズをセットした場合、通電状態を遮断するようヒューズを確実に作動させることができるとは限らないため、電装品を過電流から確実に保護することができなかった。
【０００５】
そこで、ヒューズ容量毎にヒューズのハウジングの色を変えるとともに、ハウジングにヒューズ容量を表示して、ヒューズ毎のヒューズ容量を識別可能に形成したヒューズが用いられている。
【０００６】
しかし、このようなヒューズは、ヒューズ容量に関係なく同形状で形成されているため、所定容量以外のヒューズの嵌め込みが物理的に可能であり、当該ヒューズのヒューズ容量と異なるソケットへの誤った嵌め込みを完全に阻止することができなかった。
【０００７】
このような課題に対して、下記特許文献１においてヒューズの容量に応じてハウジング端子挿入孔等の形状に差異をもたせたヒューズの取付構造が開示されている。
【０００８】
具体的には、特許文献１における「ヒューズおよびヒューズのヒューズボックスへの誤嵌合防止構造」は、例えば、ヒューズの端子間ピッチを、許容電流値が相違する毎に相違させて形成している。一方、ヒューズボックスのキャビティの端子挿入孔間ピッチを、同一の許容電流値におけるヒューズのみを嵌合可能なピッチで形成している。
【０００９】
【特許文献１】特開２０００−０１１８５０号公報
【発明の開示】
【発明が解決しようとする課題】
【００１０】
しかしながら、特許文献１におけるヒューズは、例えば、ヒューズが傾いた姿勢で強引にソケットへの嵌め込んだ場合には、ヒューズ側の端子とソケット側の端子とが電気的に接続され、確実に回路や配線などを含む装置を保護することができないという課題を有する。
【００１１】
そこで本発明は、前記の課題に鑑みなされたものであって、ヒューズをソケットへ嵌め込む際に、ヒューズ側の端子とソケット側の端子との電気的接触を確実に防止することにより安全性を確実に確保するこができるヒューズ、及び、ヒューズの取付構造を提供することを目的とする。
【課題を解決するための手段】
【００１２】
この発明は、ハウジングと、該ハウジングの内部から外側へ突出した端子とを備えたヒューズと、該ヒューズの装着を許容するソケットを備えた装着ケースとで構成したヒューズの取付構造であって、ソケットに装着するヒューズを嵌合する嵌合手段を備え、該嵌合手段を、前記ハウジングに備え、前記端子よりも前記ソケット側への挿入方向に突出した絶縁突出部と、前記ソケットに備え、前記絶縁突出部を挿入可能に開口した被挿入部とで構成し、前記絶縁突出部の挿入方向に直交する断面の少なくとも一部に、ヒューズ容量毎に固有形状で形成した固有形状部分を備え、該固有形状部分を、ヒューズ容量増加に応じて大きくなる寸法で形成し、前記被挿入部の少なくとも一部に、前記ヒューズ容量増加に応じて大きくなる前記固有形状部分に嵌合対応する固有開口部分を備え、前記固有開口部分を、装着許容するヒューズより大きなヒューズ容量のヒューズの前記固有形状部分の寸法よりも小さい寸法で形成したヒューズの取付構造であることを特徴とする。
【００１３】
この発明の態様として、前記固有形状部分を、ヒューズ容量増加に応じて大きくなる幅で形成し、前記固有開口部分を、装着許容するヒューズより大きなヒューズ容量のヒューズの前記固有形状部分の幅よりも狭い幅で形成したヒューズの取付構造で構成することができる。
【００１４】
また、この発明は、並列する複数の端子と、該端子を固定するとともに、前記端子同士を電気的に接続する溶断部を内部に備えた絶縁性を有するハウジングとで構成したヒューズであって、前記ハウジングに、前記端子よりも前記ソケット側への挿入方向へ突出した絶縁性を有する絶縁突出部を備え、前記絶縁突出部の挿入方向に直交する断面の少なくとも一部に、ヒューズ容量毎に固有形状で形成した固有形状部分を備え、該固有形状部分を、ヒューズ容量増加に応じて大きくなる寸法で形成したヒューズであることを特徴とする。
【００１５】
前記固有形状部分は、前記絶縁突出部の挿入方向に直交する断面の全体部分、或いは、２以上の部分など、前記絶縁突出部の挿入方向に直交する断面の少なくとも１部分に形成することができる。
【００１６】
また、前記寸法には、上述したように固有形状部分の幅に限らず、例えば、厚み、曲率、半径、弧長、角度を含む。さらには、これら所定の寸法のうち少なくとも２以上の寸法であってもよい。
【００１７】
前記ヒューズは、いわゆるブレード型と呼ばれる低背ヒューズ、平型ヒューズ或いはミニ平型ヒューズであることを含む。  
前記ヒューズ容量とは、１．０Ａ、２．０Ａ、３．０Ａ、４．０Ａ、５．０Ａ、７．５Ａ、１０Ａ、１５Ａ、２０Ａ、２５Ａ、３０Ａ、或いは４０Ａ等の定格容量であることを指す。
【発明の効果】
【００１８】
本発明は、ヒューズをソケットへ嵌め込む際に、ヒューズ側の端子とソケット側の端子との電気的接触を確実に防止することにより、安全性を確実に確保するこができるヒューズ、及び、ヒューズの取付構造を提供することができる。
【発明を実施するための最良の形態】
【００１９】
この発明の一実施形態を以下図面と共に説明する。  
本発明のヒューズの取付構造の一実施形態としては、例えば、ヒューズボックス構造１０で構成することができる。ヒューズボックス構造１０は、図１から図３に示すように、ハウジング１１と該ハウジング１１の幅方向の各端側において互いに並列する一対の端子１２，１２とを有したヒューズ１３を備えるとともに、前記ヒューズ１３の装着を許容する複数のソケット１４が配設された装着ケース１５を備えている。
【００２０】
さらに、前記ヒューズボックス構造１０は、ソケット１４に装着したヒューズ１３を嵌合する嵌合手段１６を備えている（図２参照）。  
前記嵌合手段１６は、前記ハウジング１１に備えた絶縁突出部１７と、前記ソケット１４に備え、前記絶縁突出部１７の挿入可能に開口した被挿入部１８とで構成している（図３の要部拡大図で示したソケット１４における仮想線で示した領域参照）。
【００２１】
前記絶縁突出部１７は、前記端子１２よりも前記被挿入部１８への挿入方向Ｘ（図２中、矢印Ｘ参照）に突出している。前記絶縁突出部１７の挿入方向Ｘに直交する断面の少なくとも一部には、ヒューズ容量（定格容量）毎に固有形状で形成した固有形状部分２２を備えている。
【００２２】
前記固有形状部分２２は、ヒューズ容量増加に応じて大きくなる寸法で形成している。  
より詳しくは、前記固有形状部分２２は、前記ハウジング１１の前記厚み方向の両側面において厚み方向外側へ凸段状に形成し（図１参照）、ヒューズ容量増加に応じて大きくなる幅で形成している。
【００２３】
一方、図３の要部拡大図に示すように、前記被挿入部１８の少なくとも一部には、前記ヒューズ容量増加に応じて大きくなる前記固有形状部分２２に嵌合対応する固有開口部分２４を備えている。  
なお、図３は、ヒューズ１３を装着していない状態の装着ケース１５の平面図、並びに、ヒューズ容量毎に形成したソケットの要部（ａ部、ｂ部、及び、ｃ部）をそれぞれ拡大した拡大図である。
【００２４】
前記固有開口部分２４は、装着許容するヒューズ１３より大きなヒューズ容量のヒューズ１３の前記固有開口部分２４の寸法よりも小さい寸法で形成している。
【００２５】
より詳しくは、前記固有開口部分２４は、前記被挿入部１８の幅方向両縁部の中央部分を凹状に切り欠いた溝形状で形成し、装着許容するヒューズ１３より大きなヒューズ容量のヒューズ１３の前記固有形状部分２２の幅よりも狭い幅で形成している（図３の要部拡大図で示したソケット１４における破線で示した領域参照）。
【００２６】
上述した構成で構成したヒューズボックス構造１０について、さらに詳述する。  
本実施形態におけるヒューズボックス構造１０には、複数のヒューズ１３と、該ヒューズ１３を装着可能な箱形状の前記装着ケース１５とで構成される。なお、前記装着ケース１５には、蓋体を備え（図示せず）、該蓋体が取り外された状態においては、装着ケース１５の上面が開放される（図１参照）。
【００２７】
前記装着ケース１５の上面には、図３に示すように、短手向の各側に長手方向に沿って凹状に形成した装着溝２７を備え、各装着溝２７には、その長さに沿って、各ヒューズ１３を装着可能な複数のソケット１４を配設している。
【００２８】
本実施形態におけるヒューズボックス構造１０には、ヒューズ容量が７．５Ａ，１０Ａ，１５Ａの３種類のヒューズ１３が用いられ、ヒューズ１３の上面には、それぞれのヒューズ容量に対応する容量値が表示されている。さらに、ソケット１４は、これら３種類のヒューズ容量に対応可能に３種類を備えている。
【００２９】
なお、本実施形態においては、ヒューズ容量が１５Ａ，１０Ａ，７．５Ａに対応するヒューズ１３（１３ａ，１３ｂ，１３ｃ）を、それぞれ１５Ａヒューズ１３ａ、１０Ａヒューズ１３ｂ、７．５Ａヒューズ１３ｃとする。これに対して１５Ａヒューズ１３ａ、１０Ａヒューズ１３ｂ、７．５Ａヒューズ１３ｃに装着対応するソケット１４（１４ａ，１４ｂ，１４ｃ）を、それぞれ１５Ａソケット１４ａ、１０Ａソケット１４ｂ、７．５Ａソケット１４ｃとする。
【００３０】
上述したヒューズ１３は、図２に示すように、いずれも前記ハウジング１１を、合成樹脂製により絶縁性を有して形成している。  
前記絶縁突出部１７は、前記ハウジング１１の本体部２１から下方へ延設した部分に相当する部分である。  
なお、ハウジング１１の本体部２１は、ハウジング１１の上下方向における上端から端子１２の先端部（下端部）までの部分に相当する部分である。
【００３１】
さらに、ハウジング１１の上面部には、ソケット１４に装着したとき被挿入部１８の縁部に係止可能に挿入方向Ｘに対する直交平面上において突出した鍔状のフランジ部２３を備えている。
【００３２】
前記ハウジング１１は、前記一対の端子１２，１２を、該一対の端子１２，１２の間に、逆Ｕ字形状の溶断部２６を形成し、前記端子１２，１２同士を電気的に接続している。なお、端子１２と溶断部２６とは、板状の亜鉛合金によって一体形成している。
【００３３】
前記ハウジング１１の前記本体部２１は、その内部に溶断部２６を収容する溶断部収容空間Ａを形成している。  
このように構成されたヒューズ１３は、端子１２，１２同士を溶断部２６を介して通電するが、そのとき、溶断部２６の容量を超える過大な電流が流れた場合、溶断部２６が溶けて端子１２，１２同士を電気的に遮断する。
【００３４】
ソケット１４には、図２に示すように、ヒューズボックス構造１０を設置する車両に装備した電装品と電気的に接続可能に配された配線の配線端子２５が装着されている。このため、ヒューズ１３をソケット１４に装着すると、ソケット１４に嵌め込まれた端子１２が、前記配線端子２５と電気的に接続され、電装品の電気回路がヒューズ１３の端子１２、及び、溶断部２６を介して通電可能となる。
【００３５】
従って、電装品の電気回路にヒューズ１３の定格容量を超える電流が流れると、溶断部２６が溶断されて前記電気回路が遮断されるため、前記電装品を過電流から保護することができる。
【００３６】
続いて、ヒューズ容量毎のヒューズ１３、及び、ソケット１４の構成を、ヒューズ１３側に備えた前記固有形状部分２２とソケット１４側に備えた前記固有開口部分２４とで構成される前記嵌合手段１６の構成を中心に説明する。
【００３７】
上述したヒューズ１３における各固有形状部分２２は、図４から図９に示すように、ヒューズ容量が７．５Ａ，１０Ａ，１５Ａに応じて幅が大きくなるよう形成している。  
なお、図４は、１５Ａヒューズ１３ａを１５Ａソケット１４ａへ装着する際の外観図を示し、図５は、１５Ａヒューズ１３ａのそれぞれ正面図（ａ）、右側面図（ｂ）、底面図（ｃ）を示す。図６は、１０Ａヒューズ１３ｂを１０Ａソケット１４ｂへ装着する際の外観図を示し、図７は、１０Ａヒューズ１３ｂのそれぞれ正面図（ａ）、右側面図（ｂ）、底面図（ｃ）を示す。図８は、７．５Ａヒューズ１３ｃを７．５Ａソケット１４ｃへ装着する際の外観図を示し、図７は、７．５Ａヒューズ１３ｃのそれぞれ正面図（ａ）、右側面図（ｂ）、底面図（ｃ）を示す。
【００３８】
一方、ソケット１４における固有開口部分２４も、図３，４，６、及び、図８に示すように、ヒューズ容量が７．５Ａ，１０Ａ，１５Ａの順に幅が大きくなるよう異なる幅で構成している。
【００３９】
具体的には、図４、図５（ａ），（ｂ），（ｃ）に示すように、１５Ａヒューズ１３ａにおける前記固有形状部分２２ａは、ハウジング１１において略端子１２，１２同士の間隔と略同じ幅（ｄＡ）で形成している。
【００４０】
一方、１５Ａソケット１４ａにおける固有開口部分２４ａは、図３中ａ部拡大図、図４に示すように、１５Ａソケット１４を平面視したとき、その平面視長方形状をした幅方向両端部における中央部を凹状に切り欠いた形状で形成している。
【００４１】
さらに、固有開口部分２４ａは、１５Ａヒューズ１３ａの前記固有形状部分２２ａを挿入可能に該固有形状部分２２ａの幅（ｄＡ）と略同じ幅（ＤＡ）で形成している。
【００４２】
また、１０Ａヒューズ１３ｂにおける前記固有形状部分２２ｂは、図６、図７に示すように、上述した１５Ａヒューズ１３ａにおける前記固有形状部分２２ａの幅（ｄＡ）よりも小さな幅（ｄＢ）で形成している。
【００４３】
一方、１０Ａソケット１４ｂにおける固有開口部分２４ｂは、図３中ｂ部拡大図、図６に示すように１０Ａヒューズ１３ｂの固有形状部分２２ｂを挿入可能に該固有形状部分２２ｂの幅（ｄＢ）と略同じ幅（ＤＢ）で形成している。
【００４４】
さらにまた、７．５Ａヒューズ１３ｃにおける前記固有形状部分２２ｃは、図８、図９に示すように、上述した１０Ａヒューズ１３ｂにおける前記固有形状部分２２ｂの幅（ｄＢ）よりも小さな幅（ｄＣ）で形成している。
【００４５】
一方、７．５Ａソケット１４ｃにおける固有開口部分２４ｃは、図３中ｃ部拡大図、図８に示すように７．５Ａヒューズ１３ｃの前記固有形状部分２２ｃを挿入可能に前記固有形状部分２２ｃの幅（ｄＣ）と略同じ幅（ＤＣ）で形成している。
【００４６】
また、図５（ｃ）、図７（ｃ）、図９（ｃ）からも明らかなように、各ヒューズにおける前記絶縁突出部１７は、ヒューズ容量毎に固有の形状で形成するとともに、７．５Ａ，１０Ａ，１５Ａのヒューズ容量増加に応じて、該絶縁突出部１７の底面、すなわち、挿入方向Ｘに対する直交方向の断面が大きくなるよう形成していることがわかる。
【００４７】
以下では、１０Ａヒューズ１３ｂを、それぞれ１０Ａソケット１４ｂ、７．５Ａソケット１４ｃ、１５Ａソケット１４ａへ装着する際の実施例について順に説明する。  
先ず、１０Ａヒューズ１３ｂを１０Ａソケット１４ｂへ装着する実施例について説明する。
【００４８】
前記１０Ａヒューズ１３ｂにおける前記固有形状部分２２ｂは、上述したように１０Ａソケット１４ｂにおける被挿入溝２４ｂに嵌め込み可能に該被挿入溝２４ｂの幅（ＤＢ）と略同じ幅（ｄＢ）で形成している。
【００４９】
このため、前記１０Ａヒューズ１３ｂを１０Ａソケット１４ｂへ装着する際、前記１０Ａヒューズ１３ｂの前記固有形状部分２２ｂを１０Ａソケット１４ｂの被挿入溝２４ｂへ挿入可能であるため、図６、及び、図１０（ａ）に示すように、前記１０Ａヒューズ１３ｂを１０Ａソケット１４ｂへ装着することができる。
【００５０】
なお、１５Ａヒューズ１３ａを１５Ａソケット１４ａへ装着する場合、並びに、７．５Ａヒューズ１３ｃを７．５Ａヒューズ１３ｃへ装着する場合においても、上述した１０Ａヒューズ１３ｂを１０Ａソケット１４ｂへ装着する場合と同様に、所定容量のヒューズ１３をその所定容量に対応するソケット１４へ装着することができる。
【００５１】
続いて、１０Ａヒューズ１３ｂを、誤って７．５Ａソケット１４ｃへ装着を試みた実施例について説明する。  
１０Ａヒューズ１３ｂにおける前記固有形状部分２２ｂは、上述したように、７．５Ａソケット１４ｃにおける被挿入溝２４ｃの幅（ＤＣ）よりも大きな幅（ｄＢ）で形成している。
【００５２】
このため、１０Ａヒューズ１３ｂを、誤って７．５Ａソケット１４ｃへの装着しようとしても、前記固有形状部分２２ｂが７．５Ａソケット１４ｃにおける被挿入溝２４ｃの縁部に当接することにより、図１０（ｂ）に示すように、１０Ａヒューズ１３ｂが７．５Ａソケット１４ｃへ嵌め込まれることを物理的に阻止することができる。
【００５３】
殊に、絶縁突出部１７は、ヒューズ１３の前記端子１２の先端よりも挿入方向Ｘに突出しているため、例えば、図１１（ａ），（ｂ）に示すように、１０Ａヒューズ１３ｂを７．５Ａソケット１４ｃに対して傾いた姿勢で挿入するなどしても、１０Ａヒューズ１３ｂにおける絶縁突出部１７が端子１２よりも先に７．５Ａソケット１４ｃの縁部１４ｘに当接するため、端子１２と配線端子２５とが万一にも電気的に接触することを阻止することができる。
【００５４】
よって、ヒューズ１３を暗所や手の届き難い場所に有するソケット１４に対して装着する場合であっても、端子１２と配線端子２５とが万一にも電気的に接触することを確実に阻止し、回路や配線を保護することができる。
【００５５】
なお、１５Ａヒューズ１３ａを７．５Ａソケット１４ｃへ装着する場合、並びに、１５Ａヒューズ１３ａを１０Ａヒューズ１３ｂへ装着する場合においても、上述した１０Ａヒューズ１３ｂの７．５Ａソケット１４ｃへ装着する場合と同様の作用効果を得ることができる。
【００５６】
続いて、１０Ａヒューズ１３ｂを、１５Ａソケット１４ａへ嵌め込もうと試みた実施例について説明する。  
１０Ａヒューズ１３ｂにおける前記固有形状部分２２は、上述したように、１５Ａソケット１４ａにおける被挿入溝２４ａの幅（ＤＡ）よりも小さな幅（ｄＢ）で形成している。
【００５７】
このため、１０Ａヒューズ１３ｂを、１５Ａソケット１４ａへ装着する際、１０Ａヒューズ１３ｂの前記固有形状部分２２ｂは、１５Ａソケット１４ａの被挿入溝２４ａへの挿入が許容されるため、図１０（ｃ）に示すように、１０Ａヒューズ１３ｂを、１５Ａソケット１４ａへ装着することが可能となる。
【００５８】
このように、１０Ａヒューズ１３ｂを、１５Ａヒューズ１３ａに対応する１５Ａソケット１４ａへ装着しても安全面の観点から何ら問題がなく、それどころか、１０Ａヒューズ１３ｂを、本来、１５Ａソケット１４ａへ装着するべき１５Ａヒューズ１３ａの代替品として応急的に用いることが可能となる。
【００５９】
なお、７．５Ａヒューズ１３ｃを１０Ａソケット１４ｂへ装着する場合、並びに、７．５Ａヒューズ１３ｃを１５Ａヒューズ１３ａへ装着する場合においても、上述した１０Ａヒューズ１３ｂを１５Ａソケット１４ａへ装着する場合と同様の作用効果を得ることができる。
【００６０】
以上、詳述したように、本実施形態のヒューズボックス構造１０は、ヒューズ１３側の絶縁突出部１７を、前記端子よりもソケット１４側への挿入方向Ｘに突出して形成している。
【００６１】
さらに、前記絶縁突出部１７の挿入方向Ｘに直交する断面の少なくとも一部には、ヒューズ容量毎に固有形状で形成した固有形状部分２２を備え、該固有形状部分２２を、ヒューズ容量増加に応じて大きくなる寸法で形成している。
【００６２】
一方、ソケット１４側の前記被挿入部１８の少なくとも一部には、前記ヒューズ容量増加に応じて大きくなる前記固有形状部分２２に嵌合対応する固有開口部分２４を備え、前記固有開口部分２４を、装着許容するヒューズ１３より大きなヒューズ容量のヒューズ１３の前記固有形状部分２２の寸法よりも小さい寸法で形成している。
【００６３】
このため、所定容量のヒューズ１３を所定容量よりも低い容量ヒューズに対応したソケット１４（低容量ソケット）に装着しようとした場合、所定容量のヒューズ１３の前記絶縁突出部１７が、低容量ソケット１４の前記被挿入部１８に挿入不能に当接することになる。
【００６４】
これにより、前記ヒューズ１３を前記ソケット１４へ装着することを阻止するだけでなく、万一にも、ヒューズ１３側の端子１２とソケット１４側の端子１２との電気的接触を確実に防止することができる。
【００６５】
よって、単に所定容量のヒューズ１３を、所定容量よりも低い容量のヒューズ１３に対応したソケット１４への装着を阻止可能な構成よりも、より一層、安全性を確保することができる。
【００６６】
同時に、所定容量のヒューズ１３は、装着しても安全である所定容量よりも高い容量のヒューズに対応したソケット１４（大容量ソケット）にも装着が可能であるため、前記大容量ソケットに装着対応する大容量ヒューズが手元にない場合であっても所定容量のヒューズ１３により、応急的に代替することができ、状況に応じて柔軟な対応が可能となる。
【００６７】
また、本実施形態のヒューズボックス構造１０は、前記固有形状部分２２と前記フランジ部２３とは、ハウジング１１の厚み方向において面一に形成している。
【００６８】
このため、ハウジング１１を、その厚み方向において、前記前記固有形状部分２２が前記フランジ部２３より突出しない形態であるため、このようなハウジング１１を備えたヒューズ１３を、大量生産しても嵩張らず、また、複雑な形状にならないため、金型により容易に形成することができる。
【００６９】
本発明のヒューズの取付構造は、上述した実施形態の形態に限定せず、様々な形態で構成することができる。  
本発明のヒューズの取付構造は、上述したように、前記固有形状部分の幅をヒューズ容量毎に異なるよう構成した実施形態に限らず、前記固有形状部分を、ヒューズ容量増加に応じて大きくなる寸法で形成した形態であれば、様々な形態で形成することができる。
【００７０】
例えば、ヒューズの前記固有形状部分の厚み方向への突出量を、ヒューズ容量毎に異なるよう構成してもよい。
【００７１】
さらにまた、前記固有形状部分を、前記絶縁突出部の幅方向の一部分に、厚み方向に窪んだ凹状部分を備えた形態で形成し、ヒューズ容量増加に応じて大きくなる固有の寸法で形成することができる。
【００７２】
ここで、前記固有の寸法とは、前記絶縁突出部に前記凹状部分を備えるために構成した、前記固有形状部分における厚み方向に突出した凸状部分の厚み寸法を示す。
【００７３】
このように、本発明における固有の寸法とは、幅方向など、厚方向以外の寸法においても、上述した厚み寸法と同様に前記固有形状部分を構成する実質的部分を基準とした長さ等の大きさを示すものとする。
【００７４】
なお、上述したソケット側の前記固有開口部分についても、上述した形態の前記固有形状部分に対応させて、ヒューズ容量毎に対応する前記固有形状部分に嵌め込み可能に形成することができる。
【００７５】
また、本発明のヒューズの取付構造は、ヒューズ、又は／及び、ソケットを、上述したように、上述した７．５Ａ，１０Ａ，１５Ａから成る３種類のヒューズ容量に限らず、２種類以下、或いは、４種類以上のヒューズ容量増加に応じて形成することができる。
【００７６】
さらに、本発明のヒューズの取付構造は、一般に流通している、上述した７．５Ａ，１０Ａ，１５Ａ以外の１．０Ａ，２．０Ａ，３．０Ａ，４．０Ａ，５．０Ａ，２０Ａ，２５Ａ，３０Ａ，４０Ａといったヒューズ容量も含めた組み合わせにより、ヒューズ１３、及び、ソケット１４を備えることができる。
【００７７】
本発明のヒューズの取付構造は、このように上述した本実施形態のみに限定されるものではなく、多くの実施形態を得ることができる。
【図面の簡単な説明】
【００７８】
【図１】本実施形態のヒューズボックスの外観図。
【図２】本実施形態のヒューズ、及び、ソケットの断面図。
【図３】ヒューズを装着していない状態の本実施形態のヒューズボックスの平面図、並びに、要部拡大図。
【図４】ヒューズ容量が１５Ａにおける本実施形態のヒューズ、及び、ソケットの外観図。
【図５】ヒューズ容量が１５Ａにおける本実施形態のヒューズの正面図（ａ）、右側面図（ｂ）、底面図（ｃ）。
【図６】ヒューズ容量が１０Ａにおける本実施形態のヒューズ、及び、ソケットの外観図。
【図７】ヒューズ容量が１０Ａにおける本実施形態のヒューズの正面図（ａ）、右側面図（ｂ）、底面図（ｃ）。
【図８】ヒューズ容量が７．５Ａにおける本実施形態のヒューズ、及び、ソケットの外観図。
【図９】ヒューズ容量が７．５Ａにおける本実施形態のヒューズの正面図（ａ）、右側面図（ｂ）、底面図（ｃ）。
【図１０】本実施形態のヒューズをソケットへ装着する様子を示す作用説明図。
【図１１】本実施形態のヒューズをソケットへ装着する様子を示す作用説明図。
【符号の説明】
【００７９】
１０…ヒューズボックス
１１…ハウジング
１２…一対の端子
１３（１３ａ，１３ｂ，１３ｃ）…ヒューズ
１４（１４ａ，１４ｂ，１４ｃ）…ソケット
１５…装着ケース
１６…嵌合手段
１７…絶縁突出部
１８…被挿入部
２２（２２ａ，２２ｂ，２２ｃ）…固有形状部分
２４（２４ａ，２４ｂ，２４ｃ）…固有開口部分
【図１】
2009129671.tif 000003
【図２】
2009129671.tif 000004
【図３】
2009129671.tif 000005
【図４】
2009129671.tif 000006
【図５】
2009129671.tif 000007
【図６】
2009129671.tif 000008
【図７】
2009129671.tif 000009
【図８】
2009129671.tif 000010
【図９】
2009129671.tif 000011
【図１０】
2009129671.tif 000012
【図１１】
2009129671.tif 000013